(57)【特許請求の範囲】
【請求項１】
再生信号のレベルを検出する再生信号レベル検出手段と、前記再生信号レベル検出手段によって生成された再生レベル検出信号を監視する第１の状態監視手段と、記録タイミング信号を生成して記録信号増幅手段に出力する記録制御手段と、前記記録制御手段が出力する記録タイミング信号を監視する第２の状態監視手段とを備え、
前記再生信号レベル検出手段が検出する再生信号を記録媒体から再生するヘッド手段と、前記記録信号増幅手段からの記録信号を前記記録媒体に記録するヘッド手段とが、兼用タイプの記録再生兼用ヘッド手段として構成されており、
前記記録再生兼用ヘッド手段と、前記記録信号増幅手段および前記再生信号レベル検出手段の前段の再生信号増幅手段との間に、前記記録制御手段からの前記記録タイミング信号によって切り換え動作される切換手段が介挿されており、
前記記録制御手段からの前記記録タイミング信号を前記第２の状態監視手段で監視することで記録ミスを検出することを特徴とする記録ミス検出装置。
【請求項２】
前記第１の状態監視手段による監視動作が前記第２の状態監視手段による監視動作に先行して行われるように構成されていることを特徴とする請求項１に記載の記録ミス検出装置。
【発明の詳細な説明】
【０００１】
【発明の属する技術分野】
本発明は、デジタルＶＴＲなどの記録装置あるいは記録再生装置についての記録ミス検出装置にかかわり、特には、つなぎ撮り記録やインサート編集のためのオーバーライトを行うときの記録タイミング信号の記録ミスひいては記録データの記録ミスを監視する技術に関する。
【０００２】
【従来の技術】
図５は従来の技術における磁気記録装置についての記録ミス検出装置の電気的構成を示すブロック図である。
【０００３】
図５において、符号の２０１はＲＥＣ（記録）、ＰＬＡＹ（再生）、ＳＴＯＰ（停止）といったモードスイッチ情報ａを検出するためのモードスイッチ検出器、２０２はモードスイッチ検出器２０１からのモードスイッチ情報ａ等により装置各部の動作を制御するための中央処理器（ＣＰＵなど）、２０３は中央処理器２０２の制御で動作状態を視覚的に表示するための表示器、２０４は中央処理器２０２からの記録コマンドｂに基づいて駆動されて、記録に際しての開始および終了のための正確な記録タイミング信号ｃを生成し、その記録タイミング信号ｃを記録アンプ２０５に供給する動作を行うための記録制御器、２０５は記録制御器２０４からの記録タイミング信号ｃを入力して、磁気テープなどの記録媒体に対する記録タイミング信号ｃの記録レベル（深層記録）が最適となるようにしつつ、記録データを増幅するための記録アンプ、２０６は記録アンプ２０５からの記録信号を記録媒体に記録するための記録ヘッド、２０７は記録媒体から信号を再生するための再生ヘッド、２０８は再生ヘッド２０７からの再生信号を増幅するための再生アンプ、２０９は再生アンプ２０８からの再生信号レベルを検出し、その再生レベル検出信号ｅを中央処理器２０２に送出するためのエンベ検出器である。
【０００４】
次に、上記のように構成された従来の技術の記録ミス検出装置の動作を説明する。
【０００５】
図示しない操作部においてオペレータがＲＥＣキーを押し操作すると、モードスイッチ検出器２０１がそのＲＥＣキー押しを検出し、中央処理器２０２に対しモードスイッチ情報ａとしてＲＥＣ情報を送出する。ＲＥＣ情報を受け取った中央処理器２０２は、表示器２０３に対してＲＥＣモードであることの表示の指示を与えるとともに、記録制御器２０４に対して記録コマンドｂを送出する。記録コマンドｂを受け取った記録制御器２０４は、正確な記録タイミング信号ｃを生成し、記録アンプ２０５に対して出力する。
【０００６】
一方、中央処理器２０２は、エンベ検出器２０９から出力される再生レベル検出信号ｅを特定のタイミングでサンプリングする処理を行う。すなわち、記録ヘッド２０６によって記録媒体に記録されている状態を再生ヘッド２０７によってピックアップし、再生アンプ２０８で増幅し、エンベ検出器２０９にて再生信号のレベル検出を行い、それをサンプリングする。このサンプリングにより、記録レベルを監視することになり、記録媒体に対する記録タイミング信号ｃの記録が正常か否かの判定を行う基礎としている。
【０００７】
再生レベル検出信号ｅのサンプリングの結果、その再生レベル検出信号ｅの出力に異常が発生しているときは、中央処理器２０２は、その旨を表示器２０３において表示する。
【０００８】
【発明が解決しようとする課題】
つなぎ撮り記録やインサート編集のためのオーバーライトにおいては、記録タイミング信号の記録が正常に行われていることが必須の要件となる。
【０００９】
しかしながら、上記した従来の記録ミス検出装置にあっては、記録が行われたトラックを再生して得られる信号のレベルを監視することを通じて、記録タイミング信号ｃの記録の良否を判定することとしているが、記録タイミング信号ｃは記録媒体に対して深層記録されることから、つなぎ撮り記録やインサート編集のためのオーバーライトによる記録タイミング信号を検出したのか、それともつなぎ撮り記録やインサート編集のためのオーバーライトを行う前にすでに記録されていた記録タイミング信号を検出したのかの区別がつかない場合がある。
【００１０】
したがって、もし、オーバーライトのときに記録制御器２０４が動作不良や故障を起こしていて、記録タイミング信号ｃの記録が正常に行われなかった場合でも、あらかじめの深層記録の信号が再生ヘッド２０７によって再生されてしまうことから、中央処理器２０２は正常な記録動作が行われているとの錯覚を生じてしまう可能性がある。
【００１１】
本発明は上記した課題の解決を図るべく創作したものであって、つなぎ撮り記録やインサート編集のためのオーバーライトのときの記録タイミング信号ひいては記録データの記録ミスを確実に検出することができるようにし、また、なるべく簡単な回路構成のもので実現できるようにすることを目的としている。
【００１２】
【課題を解決するための手段】
上記した課題の解決を図ろうとする記録ミス検出装置についての本発明は、記録動作中に記録信号増幅手段を制御するために記録制御手段から出力されている記録タイミング信号を第２の状態監視手段によって直接に監視するように構成したものとなっている。さらに、再生信号レベル検出手段によって生成された再生レベル検出信号を第１の状態監視手段によって監視するように構成したものとなっている。
【００１３】
この発明によると、記録済み記録媒体に対してつなぎ撮り記録を行ったりインサート編集を行っている最中に発生する可能性のある記録制御手段の動作不良や故障ひいては記録不良を、もしそれが現実に発生しているのであれば、これを見落とすことなく確実に検出することができ、しかも、その機能を実現するための構成は、記録タイミング信号を監視するための第２の状態監視手段を設けるだけの非常に簡単な構成ですますことができる。さらに、第１の状態監視手段によって記録媒体からの再生レベル検出信号を監視するとともに、第２の状態監視手段によって記録タイミング信号を直接に監視するので、記録ミスの見落としの可能性をより小さなものとすることが可能となる。
【００１４】
【発明の実施の形態】
以下、本発明の実施の形態を総括的に説明する。
【００１５】
本願第１の発明の記録ミス検出装置は、再生信号のレベルを検出する再生信号レベル検出手段と、前記再生信号レベル検出手段によって生成された再生レベル検出信号を監視する第１の状態監視手段と、記録タイミング信号を生成して記録信号増幅手段に出力する記録制御手段と、前記記録制御手段が出力する記録タイミング信号を監視する第２の状態監視手段とを備え、前記再生信号レベル検出手段が検出する再生信号を記録媒体から再生するヘッド手段と、前記記録信号増幅手段からの記録信号を前記記録媒体に記録するヘッド手段とが、兼用タイプの記録再生兼用ヘッド手段として構成されており、前記記録再生兼用ヘッド手段と、前記記録信号増幅手段および前記再生信号レベル検出手段の前段の再生信号増幅手段との間に、前記記録制御手段からの前記記録タイミング信号によって切り換え動作される切換手段が介挿されており、前記記録制御手段からの前記記録タイミング信号を前記第２の状態監視手段で監視することで記録ミスを検出することを特徴とするものである。
【００１６】
この第１の発明による作用は次のとおりである。記録動作中に記録信号増幅手段を制御するために記録制御手段から出力されている記録タイミング信号を状態監視手段によって直接に監視しているので、記録済み記録媒体に対してつなぎ撮り記録を行ったりインサート編集を行っている最中に発生する可能性のある記録制御手段の動作不良や故障ひいては記録不良を、もしそれが現実に発生しているのであれば、これを見落とすことなく確実に検出することができる。しかも、そのための構成は、記録制御手段が出力する記録タイミング信号を監視するための状態監視手段を設けるだけの非常に簡単な構成ですむ。
【００１８】
また、第１の状態監視手段によって記録媒体からの再生レベル検出信号を監視するとともに、第２の状態監視手段によって記録タイミング信号を直接に監視するので、記録ミスの見落としの可能性をより小さなものとすることが可能となる。
【００１９】
すなわち、第１の状態監視手段による再生信号レベルの監視を行うことは、使用している記録媒体の性状の良否をより高い精度で判定する一助となる。また、再生ヘッドが劣化しているときには、記録ヘッドもほぼ同様に劣化が進んでいると考えてよく、したがって、再生信号レベルの監視は、記録ミスの見落としの可能性をより小さくすることにつながるのである。
【００２１】
また、切換手段によって記録再生兼用ヘッド手段を再生信号増幅手段に接続すると、記録データおよび記録タイミング信号の記録を行うべき同じ記録再生兼用ヘッド手段の状況が推測される。記録のヘッドが劣化したり損傷したり目詰まりを起こしているときは、記録タイミング信号の記録ミスひいては記録データの記録ミスも発生しやすい。記録再生兼用ヘッド手段からの再生信号レベルが異常であれば、そのことを通じて、その記録再生兼用ヘッド手段の劣化や損傷や目詰まりを検出することになる。したがって、記録ミスの見落としの可能性をさらに小さくすることが可能となる。
【００２３】
さらに、記録再生兼用ヘッド手段を文字通りに記録ヘッドと再生ヘッドとに使い分けするには、当然に、その切り換えのための制御信号が必要となる。この切り換えのための制御信号として、記録制御手段からの記録タイミング信号を兼用利用している。記録タイミング信号が必要となるのは記録のときである。したがって、記録に至らないときに、あるいは記録の合間に、あるいは記録の終了直後に、記録再生兼用ヘッド手段を再生信号増幅手段に接続することが許容される。その良い時機は記録タイミング信号が出力されていない期間であり、記録タイミング信号なしの期間には切換手段を介して記録再生兼用ヘッド手段を再生信号増幅手段に接続しておけばよい。記録タイミング信号が出力されるようになると、切換手段を制御して、記録再生兼用ヘッド手段を記録信号増幅手段に接続し、記録データとともに記録タイミング信号を記録すればよい。
【００２４】
本願第２の発明の記録ミス検出装置は、上記の第１の発明において、前記第１の状態監視手段による監視動作が前記第２の状態監視手段による監視動作に先行して行われるように構成されていることを特徴としている。
【００２５】
この第２の発明による作用は次のとおりである。第１の状態監視手段は再生信号レベルを監視するものであり、第２の状態監視手段は記録タイミング信号を監視するものである。したがって、記録タイミング信号が出力される前の段階で、第１の状態監視手段による監視すなわち再生信号レベルの監視を行うことにより、記録再生兼用ヘッド手段の劣化・故障・目詰まりなどの状況をあらかじめ判定することが可能となる。加えて、記録動作開始の直前と直後とにおいて、記録再生兼用ヘッド手段の状態と記録制御手段の状態とを監視できるため、不良発生箇所を容易かつ正確に検出することができる。
【００２９】
以下、本発明にかかわる記録ミス検出装置の具体的な実施の形態を図面に基づいて詳細に説明する。
【００３０】
（実施の形態１）
図１はデジタルＶＴＲなどのデジタル方式の磁気記録装置についての実施の形態１にかかわる記録ミス検出装置の電気的構成を示すブロック図である。
【００３１】
図１において、符号の１０１はＲＥＣ（記録）、ＰＬＡＹ（再生）、ＳＴＯＰ（停止）といったモードスイッチ情報ａを検出するためのモードスイッチ検出器、１０２はモードスイッチ検出器１０１からのモードスイッチ情報ａ等により装置各部の動作を制御するための中央処理器（ＣＰＵなど）、１０３は中央処理器１０２の制御で動作状態を視覚的に表示するための表示器、１０４は中央処理器１０２からの記録コマンドｂに基づいて駆動されて、タイムコードなどの記録に際しての開始および終了のための正確な記録タイミング信号ｃを生成し、その記録タイミング信号ｃを記録アンプ１０５に供給する動作を行うための記録制御器（これは特許請求の範囲における「記録制御手段」に相当する）、１０５は記録制御器１０４からの記録タイミング信号ｃを入力して、磁気テープなどの記録媒体に対する記録タイミング信号ｃの記録レベル（深層記録）が最適となるようにしつつ、記録データを増幅するための記録アンプ（これは特許請求の範囲における「記録信号増幅手段」に相当する）、１０６は記録アンプ１０５からの記録信号を記録媒体に記録するための記録ヘッドである。本実施の形態１においては、中央処理器１０２は、記録制御器１０４から記録アンプ１０５に対して出力されている記録タイミング信号ｃを直接にサンプリングするように構成されている。この中央処理器１０２における記録タイミング信号ｃのサンプリングの機能が、特許請求の範囲の記載における請求項１の「状態監視手段」に相当している。
【００３２】
次に、上記のように構成された実施の形態１の記録ミス検出装置の動作を図２に基づいて説明する。図２は図１の記録ミス検出装置の動作シーケンス図である。
【００３３】
図２に示すように、図示しない操作部においてオペレータがＲＥＣキーを押し操作すると、モードスイッチ検出器１０１がそのＲＥＣキー押しを検出し、中央処理器１０２に対しモードスイッチ情報ａとしてＲＥＣ情報を送出する。ＲＥＣ情報を受け取った中央処理器１０２は、表示器１０３に対してＲＥＣモードであることの表示の指示を与えるとともに、記録制御器（記録制御手段）１０４に対して記録コマンドｂを送出する。記録コマンドｂを受け取った記録制御器１０４は、正確な記録タイミング信号ｃを生成し、記録アンプ（記録信号増幅手段）１０５に対して出力する。この場合に、記録コマンドｂはＲＥＣ情報のタイミングからわずかに遅れ、また、記録タイミング信号ｃは記録コマンドｂのタイミングからわずかに遅れることになる。
【００３４】
中央処理器（状態監視手段）１０２は、記録コマンドｂの出力の直後のタイミングから、記録制御器１０４から記録アンプ（記録信号増幅手段）１０５に出力される正確な記録タイミング信号ｃを特定のタイミングでサンプリングし、記録動作実行中において記録タイミング信号ｃが記録アンプ１０５に対して正常に供給されているか否かを監視する。記録タイミング信号ｃのサンプリングの結果、その記録タイミング信号ｃの出力に異常が発生しているときは、中央処理器１０２は、その旨を表示器１０３において表示する。
【００３５】
以上のようにして、記録動作中に記録アンプ（記録信号増幅手段）１０５を制御するために記録制御器（記録制御手段）１０４から送出されている記録タイミング信号ｃを中央処理器（状態監視手段）１０２において直接に監視しているので、記録済み記録媒体に対してつなぎ撮り記録を行ったりインサート編集を行っている最中に発生する可能性のある記録制御器（記録制御手段）１０４の動作不良ひいては記録不良を、もしそれが現実に発生しているのであれば、これを見落とすことなく確実に検出することができる。しかも、そのための回路構成は、記録制御器１０４の出力端子と中央処理器１０２の入力端子とを接続するだけの非常に簡単な構成ですむ。
【００３６】
（実施の形態２）
図３はデジタルＶＴＲなどのデジタル方式の磁気記録装置についての実施の形態２にかかわる記録ミス検出装置の電気的構成を示すブロック図である。
【００３７】
実施の形態１の図１におけるのと同じ符号については本実施の形態２の図３においても同一構成要素を指示しているので、ここでは符号名称を記載するにとどめることとし、また、実施の形態１において説明した事項であって本実施の形態２において改めて説明しない事項についてはそのまま本実施の形態２にも該当するものとし、詳しい説明は省略する。符号の１０１はモードスイッチ検出器、１０２は中央処理器、１０３は表示器、１０４は記録制御器（記録制御手段）、１０５は記録アンプ（記録信号増幅手段）、ａはモードスイッチ情報、ｂは記録コマンド、ｃは記録タイミング信号である。
【００３８】
本実施の形態２における構成が実施の形態１と相違する構成は以下のとおりである。
【００３９】
図３において、符号の１０７は記録媒体に対する記録のための記録ヘッドの機能と記録媒体からの再生のための再生ヘッドの機能とを兼ね備えている記録再生兼用ヘッド（特許請求の範囲の記載における「記録再生兼用ヘッド手段」に相当）、１０８は記録アンプ１０５および再生アンプ１０９と記録再生兼用ヘッド１０７との間に介挿されて、記録制御器（記録制御手段）１０４からの記録タイミング信号ｃに応じて記録再生兼用ヘッド１０７を記録アンプ１０５と再生アンプ１０９とに交互に切り換えるための切換器（特許請求の範囲の記載における「切換手段」に相当）、１０９は記録再生兼用ヘッド１０７からの再生信号を増幅するための再生アンプ（特許請求の範囲の記載における「再生信号増幅手段」に相当）、１１０は記録開始に先立つ再生アンプ１０９からの再生信号レベルを検出し、その再生レベル検出信号ｄを中央処理器１０２に送出するためのエンベ検出器（特許請求の範囲の記載における「再生信号レベル検出手段」に相当）である。
【００４０】
本実施の形態２においては、中央処理器１０２におけるエンベ検出器１１０からの再生レベル検出信号ｄのサンプリングの機能が特許請求の範囲の記載における「第１の状態監視手段」に相当しており、また、中央処理器１０２における記録制御器１０４からの記録タイミング信号ｃのサンプリングの機能が特許請求の範囲の記載における「第２の状態監視手段」に相当している。
【００４１】
次に、上記のように構成された実施の形態２の記録ミス検出装置の動作を図４に基づいて説明する。図４は図３の記録ミス検出装置においてつなぎ撮り記録の場合の動作シーケンス図である。
【００４２】
図４に示すように、図示しない操作部においてオペレータがＲＥＣキーを押し操作すると、モードスイッチ検出器１０１がそのＲＥＣキー押しを検出し、中央処理器１０２に対しモードスイッチ情報ａとしてＲＥＣ情報を送出する。ＲＥＣ情報を受け取った中央処理器１０２は、表示器１０３に対してＲＥＣモードであることの表示の指示を与える。また、中央処理器１０２は、記録制御器（記録制御手段）１０４に対して記録コマンドｂを出力する前に、エンベ検出器（再生信号レベル検出手段）１１０から出力される再生レベル検出信号ｄを特定のタイミングでサンプリングする処理を開始し、記録再生兼用ヘッド１０７が正常に動作しているか否かを監視する。記録制御器１０４から記録タイミング信号ｃが出力されていない状態では、切換器１０８は再生アンプ１０９側に接続されているため、記録再生兼用ヘッド１０７が記録媒体をトレースして得た再生信号は切換器１０８から再生アンプ（再生信号増幅手段）１０９へと入力されているので、エンベ検出器１１０において再生レベル検出信号ｄが出力されているのである。中央処理器（第１の状態監視手段）１０２によるこの再生レベル検出信号ｄのサンプリング処理は、記録制御器１０４が実際に記録タイミング信号ｃを出力するまでの期間にわたって実行される。
【００４３】
中央処理器１０２は、再生レベル検出信号ｄのサンプリング動作の開始のタイミングからわずかに遅れて、記録制御器（記録制御手段）１０４に対して記録コマンドｂを送出する。記録コマンドｂを受け取った記録制御器１０４は、正確な記録タイミング信号ｃを生成し、記録アンプ（記録信号増幅手段）１０５に対して出力するとともに、切換器（切換手段）１０８に対しても記録タイミング信号ｃを出力して、切換器１０８を記録アンプ（記録信号増幅手段）１０５側に切り換える。中央処理器１０２（第２の状態監視手段）は、記録コマンドｂの出力の直後のタイミングから、記録制御器（記録制御手段）１０４より記録アンプ１０５に出力される正確な記録タイミング信号ｃを特定のタイミングでサンプリングし、記録動作実行中において記録タイミング信号ｃが記録アンプ１０５に対して正常に供給されているか否かを監視する。
【００４４】
中央処理器１０２は、再生レベル検出信号ｄのサンプリングの結果、または記録タイミング信号ｃのサンプリングの結果、その再生レベル検出信号ｄまたは記録タイミング信号ｃの出力に異常が発生しているときは、その旨を表示器１０３において表示する。
【００４５】
以上のようにして、つなぎ撮り記録を行うに際して、記録動作に入る直前の段階で、エンベ検出器１１０による再生レベル検出信号ｄを中央処理器（第１の状態監視手段）１０２において直接にサンプリングすることにより、記録再生兼用ヘッド（記録再生兼用ヘッド手段）１０７の状態を監視しているので、記録再生兼用ヘッド１０７の目詰まりといった記録再生にとっての不具合を、もしそれが現実に発生しているのであれば、これを見落とすことなく確実に検出することができる。
【００４６】
そして、記録動作中においては、実施の形態１の場合と同様に、記録アンプ（記録信号増幅手段）１０５を制御するために記録制御器（記録制御手段）１０４から送出されている記録タイミング信号ｃを中央処理器（第２の状態監視手段）１０２において直接にサンプリングするので、記録済み記録媒体に対してつなぎ撮り記録を行ったりインサート編集を行っている最中に発生する可能性のある記録制御器（記録制御手段）１０４の動作不良ひいては記録不良を、もしそれが現実に発生しているのであれば、これを見落とすことなく確実に検出することができる。
【００４７】
このように、本実施の形態２によれば、記録動作開始の直前および直後において、記録再生兼用ヘッド（記録再生兼用ヘッド手段）１０７の状態および記録制御器（記録制御手段）１０４の状態を監視することができるため、つなぎ撮り記録のミスを未然に防止することができる。また、そのように記録動作開始の直前および直後において上記の２つの要素を監視するため、不良発生箇所を容易かつ正確に検出することができる。
【００４８】
しかも、そのための回路構成は、記録制御器１０４の出力端子とエンベ検出器１１０の出力端子を中央処理器１０２の入力端子に接続するだけの非常に簡単なものですむ。
【００４９】
なお、上記の各実施の形態においては、記録媒体の代表例として磁気テープを例示したが、必ずしもそれにとらわれる必要性はなく、記録媒体としては、ハードディスク、ＭＯやＰＤなどの光磁気ディスク、ＣＤ‐Ｒ、ＣＤ‐ＲＷ、ＤＶＤ‐ＲＡＭなどの光ディスクなどを対象としてもよい。
【００５０】
なお、本願の明細書または図面に記載してある任意の事項について、その省略の可能性、または特許請求の範囲への追加ならびに発明の詳細な説明の変更の可能性を留保する。
【００５１】
【発明の効果】
記録ミス検出装置についての本発明によれば、記録動作中に記録制御手段から出力されている記録タイミング信号を第２の状態監視手段によって直接に監視するように構成したので、記録済み記録媒体に対してつなぎ撮り記録を行ったりインサート編集を行っている最中に発生する可能性のある記録制御手段の動作不良や故障ひいては記録不良を、もしそれが現実に発生しているのであれば、これを見落とすことなく確実に検出することができ、しかも、その機能を実現するための構成は、記録タイミング信号を監視するための第２の状態監視手段を設けるだけの非常に簡単な構成ですますことができる。さらに、第１の状態監視手段によって記録媒体からの再生レベル検出信号を監視するとともに、第２の状態監視手段によって記録タイミング信号を直接に監視するので、記録ミスの見落としの可能性をより小さなものとすることが可能となる。
【図面の簡単な説明】
【図１】  本発明の実施の形態１における磁気記録装置についての記録ミス検出装置の電気的構成を示すブロック図
【図２】  実施の形態１の記録ミス検出装置の動作シーケンス図
【図３】  本発明の実施の形態２における磁気記録装置についての記録ミス検出装置の電気的構成を示すブロック図
【図４】  実施の形態２の記録ミス検出装置の動作シーケンス図
【図５】  従来技術における磁気記録装置についての記録ミス検出装置の電気的構成を示すブロック図
【符号の説明】
１０１……モードスイッチ検出器
１０２……中央処理器（第１の状態監視手段／第２の状態監視手段）
１０３……表示器
１０４……記録制御器（記録制御手段）
１０５……記録アンプ（記録信号増幅手段）
１０６……記録ヘッド
１０７……記録再生兼用ヘッド（記録再生兼用ヘッド手段）
１０８……切換器（切換手段）
１０９……再生アンプ（再生信号増幅手段）
１１０……エンベ検出器（再生信号レベル検出手段）
ａ……モードスイッチ情報
ｂ……記録コマンド
ｃ……記録タイミング信号
ｄ……再生レベル検出信号
【図１】
0003894696.tif 000002
【図２】
0003894696.tif 000003
【図３】
0003894696.tif 000004
【図４】
0003894696.tif 000005
【図５】
0003894696.tif 000006